(57)【要約】【課題】図柄の変動が開始されない状態が長く続いたら遊技モードを変更し、遊技者の遊技意欲低下を防止する。【解決手段】遊技領域５が形成された遊技盤と、遊技領域５に配置され遊技球が通過可能な始動領域１３と、遊技盤２に設けられ図柄を変動表示する図柄表示装置１０と、図柄表示装置１０における図柄の無変動状態が継続している時間を計測する無変動時間計測手段４５と、図柄表示装置１０に表示される複数の演出モードを記憶する演出モード記憶手段４６と、演出モード記憶手段４６から一つの演出モードを選択し図柄表示装置１０の演出モードを該演出モードに変更する演出モード変更手段４７と、を具備し、無変動時間計測手段４５が計測を開始してから所定時間が計測されると共に遊技球が始動領域１３を通過すると、演出モード変更手段４７が現在とは異なる演出モードを選択し該演出モードに変更するようにする。【選択図】図２
2010063705.tif 000002
【特許請求の範囲】
【請求項１】
遊技領域が形成された遊技盤と、前記遊技領域に配置され遊技球が通過可能な始動領域と、前記遊技盤に設けられ図柄を変動表示する図柄表示装置とを備え、前記始動領域への遊技球通過を契機として前記図柄表示装置における図柄の変動表示を開始させ、前記図柄の変動表示が大当たり図柄で停止すると遊技者にとって有利な大当たりを発生させるようにしたパチンコ遊技機であって、
前記図柄表示装置における図柄の無変動状態が継続している時間を計測する無変動時間計測手段と、
前記図柄表示装置に表示される複数の演出モードを記憶する演出モード記憶手段と、
前記演出モード記憶手段から一つの演出モードを決定し前記図柄表示装置の演出モードを該演出モードに変更する演出モード変更手段と、
を具備し、
前記無変動時間計測手段が計測を開始してから所定時間が計測されると共に遊技球が前記始動領域を通過すると、前記演出モード変更手段が現在とは異なる演出モードを決定し該演出モードに変更することを特徴とするパチンコ遊技機。
【請求項２】
遊技領域が形成された遊技盤と、前記遊技領域に配置され遊技球が通過可能な始動領域と、前記遊技盤に設けられ図柄を変動表示する図柄表示装置とを備え、前記始動領域への遊技球通過を契機として前記図柄表示装置における図柄の変動表示を開始させ、前記図柄の変動表示が大当たり図柄で停止すると遊技者にとって有利な大当たりを発生させるようにしたパチンコ遊技機であって、
前記図柄表示装置における図柄の無変動状態が継続している時間を計測する無変動時間計測手段と、
前記図柄表示装置に表示される複数の演出モードを記憶する演出モード記憶手段と、
前記演出モード記憶手段から一つの演出モードを決定し前記図柄表示装置の演出モードを該演出モードに変更する演出モード変更手段と、
を具備し、
前記無変動時間計測手段が計測した時間が第一の所定時間を超え且つ第二の所定時間に満たないときに遊技球が前記始動領域を通過すると、前記演出モード変更手段が現在とは異なる演出モードを決定し該演出モードに変更することを特徴とするパチンコ遊技機。
【請求項３】
遊技領域が形成された遊技盤と、前記遊技領域に配置され遊技球が通過可能な始動領域と、前記遊技盤に設けられ図柄を変動表示する図柄表示装置と、前記遊技領域の外部へ遊技球を排出するアウト球排出口とを備え、前記始動領域への遊技球通過を契機として前記図柄表示装置における図柄の変動表示を開始させ、前記図柄の変動表示が大当たり図柄で停止すると遊技者にとって有利な大当たりを発生させるようにしたパチンコ遊技機であって、
前記図柄表示装置における図柄の無変動状態が継続している時間を計測する無変動時間計測手段と、
前記アウト球排出口を通過した遊技球の個数を計数するアウト球数カウント手段と、
前記図柄表示装置に表示される複数の演出モードを記憶する演出モード記憶手段と、
前記演出モード記憶手段から一つの演出モードを決定し前記図柄表示装置の演出モードを該演出モードに変更する演出モード変更手段と、
を具備し、
前記無変動時間計測手段が計測を開始してから所定時間が計測されるまでの間に前記アウト球数カウント手段が所定個数のアウト球を計数すると共に遊技球が前記始動領域を通過すると、前記演出モード変更手段が現在とは異なる演出モードを決定し該演出モードに変更することを特徴とするパチンコ遊技機。
【請求項４】
遊技領域が形成された遊技盤と、前記遊技領域に配置され遊技球が通過可能な始動領域と、前記遊技盤に設けられ図柄を変動表示する図柄表示装置とを備え、前記始動領域への遊技球通過を契機として前記図柄表示装置における図柄の変動表示を開始させ、前記図柄の変動表示が大当たり図柄で停止すると遊技者にとって有利な大当たりを発生させるようにしたパチンコ遊技機であって、
前記図柄表示装置における図柄の無変動状態が継続している時間を計測する無変動時間計測手段と、
前記図柄表示装置に表示される複数の演出モードを記憶する演出モード記憶手段と、
前記演出モード記憶手段から一つの演出モードを選択する演出モード選択手段と、
を具備し、
前記無変動時間計測手段が計測を開始してから所定時間が計測されると前記図柄表示装置に演出モード選択画面を表示すると共に前記演出モード選択手段により遊技者が演出モードを選択し得るようにし、遊技球が前記始動領域を通過すると演出モードを前記選択された演出モードに変更することを特徴とするパチンコ遊技機。
【請求項５】
前記無変動時間計測手段は前記図柄表示装置における図柄の変動表示の停止を始期として無変動時間の計測を開始することを特徴とする請求項１乃至請求項４のいずれか一項に記載のパチンコ遊技機。
【請求項６】
前記演出モード記憶手段が記憶する演出モードは該演出モードに応じて異なる装飾画像を含むことを特徴とする請求項１乃至請求項５のいずれか一項に記載のパチンコ遊技機。
【発明の詳細な説明】
【技術分野】
【０００１】
本発明は、遊技球が始動入賞口へ入賞したことを契機として電子ディスプレー等の図柄表示装置に図柄が変動表示され、該変動表示が大当たり図柄で停止すると大当たりが発生するようにしたパチンコ遊技機における、演出モードの変更技術に関するものである。
【背景技術】
【０００２】
いわゆるデジパチタイプのパチンコ遊技機（旧第一種パチンコ遊技機）は、遊技球が始動入賞口へ入賞したことを契機として乱数値を取得（抽選）すると共に電子ディスプレー等の図柄表示装置にて複数の図柄を変動させながら表示する。この図柄の変動表示は所定時間後に停止し、前記乱数値が大当たり値である場合は、停止図柄として図柄の組み合わせが特定の態様となった大当たり図柄を表示して大当たりを発生させる。そして、大当たりの発生により大入賞口の開閉扉が開成作動し、該大入賞口へ遊技球を入球させることで多くの賞球が払い出されるようになっている。このようなパチンコ遊技機としては、例えば、下記特許文献にて開示されているものがある。特に近年のパチンコ遊技機では、人気の高いテレビドラマや映画、有名なキャラクター等を題材とし、これらをモチーフとして図柄表示装置に表示される背景画像や変動表示の図柄等がデザインされ、また、遊技盤に装飾が施されている機種が多くなっている。遊技者は興味がある題材をモチーフとした機種を好んで選択し、その装飾や演出を楽しんで遊技を行なっている。
【特許文献１】特許第２９１５３７０号公報
【特許文献２】特開２０００−１７６１１３号公報
【特許文献３】特開２００２−１７７５４３号公報
【発明の開示】
【発明が解決しようとする課題】
【０００３】
ところで、上述したデジパチタイプのパチンコ遊技機では、遊技者は多数の賞球が得られる大当たりが発生することを望んで遊技をしており、その契機となる始動入賞口への入賞を期待している。ところが、遊技盤面を流下する遊技球は、該遊技盤面に多数配置された遊技釘や風車等に衝突してその流下方向を様々に変化させるため、始動入賞口へ遊技球が入賞することは主に偶然のチャンスによって決まるものになっている。従って、運悪く、遊技球が始動入賞口へ入賞せず、図柄の変動表示が開始されない状態が長時間続いてしまうこと（スタートスランプ）が起こる場合がある。そうすると、多くの賞球を獲得するチャンスが到来しないばかりか、図柄表示装置における図柄の変動表示も行なわれないため視覚的な変化に乏しく、遊技に飽きが生じて遊技者の遊技意欲が削がれてしまう問題があった。そこで本発明は、上記のような課題を解決するため、スタートスランプが発生したら演出モードを変更して演出に視覚的変化を起こさせ、遊技者に新鮮な印象を与えて遊技意欲を持続させるようにしたパチンコ遊技機を提供することを目的とする。
【課題を解決するための手段】
【０００４】
上記のような課題を解決するために、本発明のパチンコ遊技機は、遊技領域が形成された遊技盤と、前記遊技領域に配置され遊技球が通過可能な始動領域と、前記遊技盤に設けられ図柄を変動表示する図柄表示装置とを備え、前記始動領域への遊技球通過を契機として前記図柄表示装置における図柄の変動表示を開始させ、前記図柄の変動表示が大当たり図柄で停止すると遊技者にとって有利な大当たりを発生させるようにしたパチンコ遊技機であって、
前記図柄表示装置における図柄の無変動状態が継続している時間を計測する無変動時間計測手段と、
前記図柄表示装置に表示される複数の演出モードを記憶する演出モード記憶手段と、
前記演出モード記憶手段から一つの演出モードを決定し前記図柄表示装置の演出モードを該演出モードに変更する演出モード変更手段と、
を具備し、
前記無変動時間計測手段が計測を開始してから所定時間が計測されると共に遊技球が前記始動領域を通過すると、前記演出モード変更手段が現在とは異なる演出モードを決定し該演出モードに変更することを特徴とする。
【０００５】
また、本発明のパチンコ遊技機は、遊技領域が形成された遊技盤と、前記遊技領域に配置され遊技球が通過可能な始動領域と、前記遊技盤に設けられ図柄を変動表示する図柄表示装置とを備え、前記始動領域への遊技球通過を契機として前記図柄表示装置における図柄の変動表示を開始させ、前記図柄の変動表示が大当たり図柄で停止すると遊技者にとって有利な大当たりを発生させるようにしたパチンコ遊技機であって、
前記図柄表示装置における図柄の無変動状態が継続している時間を計測する無変動時間計測手段と、
前記図柄表示装置に表示される複数の演出モードを記憶する演出モード記憶手段と、
前記演出モード記憶手段から一つの演出モードを決定し前記図柄表示装置の演出モードを該演出モードに変更する演出モード変更手段と、
を具備し、
前記無変動時間計測手段が計測した時間が第一の所定時間を超え且つ第二の所定時間に満たないときに遊技球が前記始動領域を通過すると、前記演出モード変更手段が現在とは異なる演出モードを決定し該演出モードに変更することを特徴とする。
【０００６】
さらに、本発明のパチンコ遊技機は、遊技領域が形成された遊技盤と、前記遊技領域に配置され遊技球が通過可能な始動領域と、前記遊技盤に設けられ図柄を変動表示する図柄表示装置と、前記遊技領域の外部へ遊技球を排出するアウト球排出口とを備え、前記始動領域への遊技球通過を契機として前記図柄表示装置における図柄の変動表示を開始させ、前記図柄の変動表示が大当たり図柄で停止すると遊技者にとって有利な大当たりを発生させるようにしたパチンコ遊技機であって、
前記図柄表示装置における図柄の無変動状態が継続している時間を計測する無変動時間計測手段と、
前記アウト球排出口を通過した遊技球の個数を計数するアウト球数カウント手段と、
前記図柄表示装置に表示される複数の演出モードを記憶する演出モード記憶手段と、
前記演出モード記憶手段から一つの演出モードを決定し前記図柄表示装置の演出モードを該演出モードに変更する演出モード変更手段と、
を具備し、
前記無変動時間計測手段が計測を開始してから所定時間が計測されるまでの間に前記アウト球数カウント手段が所定個数のアウト球を計数すると共に遊技球が前記始動領域を通過すると、前記演出モード変更手段が現在とは異なる演出モードを決定し該演出モードに変更することを特徴とする。
【０００７】
また、本発明のパチンコ遊技機は、遊技領域が形成された遊技盤と、前記遊技領域に配置され遊技球が通過可能な始動領域と、前記遊技盤に設けられ図柄を変動表示する図柄表示装置とを備え、前記始動領域への遊技球通過を契機として前記図柄表示装置における図柄の変動表示を開始させ、前記図柄の変動表示が大当たり図柄で停止すると遊技者にとって有利な大当たりを発生させるようにしたパチンコ遊技機であって、
前記図柄表示装置における図柄の無変動状態が継続している時間を計測する無変動時間計測手段と、
前記図柄表示装置に表示される複数の演出モードを記憶する演出モード記憶手段と、
前記演出モード記憶手段から一つの演出モードを選択する演出モード選択手段と、
を具備し、
前記無変動時間計測手段が計測を開始してから所定時間が計測されると前記図柄表示装置に演出モード選択画面を表示すると共に前記演出モード選択手段により遊技者が演出モードを選択し得るようにし、遊技球が前記始動領域を通過すると演出モードを前記選択された演出モードに変更することを特徴とする。
【０００８】
加えて、本発明のパチンコ遊技機において、前記無変動時間計測手段は前記図柄表示装置における図柄の変動表示の停止を始期として無変動時間の計測を開始することを特徴とする。
【０００９】
また、本発明のパチンコ遊技機において、前記演出モード記憶手段が記憶する演出モードは該演出モードに応じて異なる装飾画像を含むことを特徴とする。
【発明の効果】
【００１０】
本発明に係るパチンコ遊技機では、図柄の無変動状態が継続している時間を無変動時間計測手段が計測している。そして、前記無変動時間計測手段が計測を開始してから所定時間が計測されると共に遊技球が前記始動領域を通過すると、演出モード変更手段が現在とは異なる演出モードを決定し該演出モードに変更するようにしている。すなわち、図柄表示装置における図柄の変動表示が行なわれない状態が所定時間継続していることを察知したら、始動領域への遊技球通過を契機として演出モードを変更するようにしている。従って、始動入賞が発生せず、よって、図柄の変動表示が開始されず、遊技者の遊技意欲が減退しそうになっても、演出モードを変更することで演出に視覚的な変化を起こして遊技者の興味を刺激し、遊技を継続する意欲を持続させることができるようになる。
【００１１】
また、本発明に係るパチンコ遊技機では、前記無変動時間計測手段が計測した時間が第一の所定時間を超え且つ第二の所定時間に満たないときに遊技球が前記始動領域を通過すると、前記演出モード変更手段が現在とは異なる演出モードを決定し該演出モードに変更するようにしている。すなわち、図柄表示装置における図柄の変動表示が行なわれない状態が第一の所定時間継続しており、且つ、始動領域への遊技球の通過があったときは遊技者が実際に遊技をしている最中であると判断し、このような場合に該始動領域への遊技球通過を契機として演出モードを変更するようにしている。一方、図柄の無変動時間が第二の所定時間よりも長く継続している場合は、遊技者が不在のため遊技機が空いている客待ち状態であると判断し、演出モードを変更しないようにしている。すなわち、遊技機が遊技中であるか又は客待ち中であるかを判断し、遊技中である場合にのみ演出モードを変更すると共に客待ち中のときには演出モードの変更を抑制できるようになる。
【００１２】
さらに、本発明に係るパチンコ遊技機では、アウト球排出口から遊技領域の外部へ排出されるアウト球の個数をアウト球数カウント手段が計数している。そして、前記無変動時間計測手段が計測を開始してから所定時間が計測されるまでの間に前記アウト球数カウント手段が所定個数のアウト球を計数すると共に遊技球が前記始動領域を通過すると、前記演出モード変更手段が現在とは異なる演出モードを決定し該演出モードに変更するようにしている。これにより、所定時間内に所定個数の遊技球を遊技領域に発射したにも関わらず該遊技球が始動領域を一つも通過しない状態を察知し、このような状態が察知されたときに始動領域への遊技球通過を契機として演出モードを変更することができるようになる。従って、始動入賞の発生頻度が乏しく遊技者の遊技意欲が減退しそうになっても、演出モードを変更して演出に視覚的な変化を起こすことにより遊技者の興味を刺激し、遊技を継続する意欲を持続させられるようになる。また、遊技者が自発的に演出モードを変更したい場合は、例えば、遊技球を右打ちする等して遊技球が始動領域を通過することを回避すれば、任意で演出モードを変更できるようになる。
【００１３】
また、本発明に係るパチンコ遊技機では、無変動時間計測手段が計測を開始してから所定時間が計測されると図柄表示装置に演出モード選択画面を表示すると共に演出モード選択手段により遊技者が演出モードを選択し得るようにしている。そして、遊技球が始動領域を通過すると演出モードを前記選択された演出モードに変更するようになっている。例えば、演出モード選択手段として遊技機の前面に演出ボタン等の操作部を設け、遊技者が該操作部を操作することにより任意の演出モードを選択できるようになる。これにより、始動入賞が発生せず、よって、図柄の変動表示が開始されず、遊技者の遊技意欲が減退しそうになっても、遊技者が好みの演出モードを自由に選択できるようになり、演出モードを遊技者の興味にあったものにすることで遊技を継続する意欲を持続させることができるようになる。
【００１４】
加えて、本発明に係るパチンコ遊技機では、無変動時間計測手段による図柄の無変動時間の計測が、図柄表示装置における図柄の変動表示の停止を始期として開始される。これにより、図柄の無変動状態が継続していることを前回の図柄変動表示の停止後からいち早く察知できるようになる。
【００１５】
また、本発明に係るパチンコ遊技機では、演出モード記憶手段が演出モードに応じて異なる装飾画像を記憶している。これにより、図柄表示装置に様々な背景画像や演出画像を表示し、遊技者の興味をより引き付けることができるようになる。
【発明を実施するための最良の形態】
【００１６】
以下、本発明に係るパチンコ遊技機の実施形態を図面に従って説明する。まず、第一実施形態に係るパチンコ遊技機の概略構成を説明する。図１は本発明に係るパチンコ遊技機を示す正面図である。パチンコ遊技機Ｐは、遊技盤取付枠１の前側に遊技盤２が取り付けられ、該遊技盤２には、外レール３および内レール４で取り囲んで略円形状に形成した遊技領域５が設けられる。これら外レール３および内レール４は、前記遊技領域５の一側の上部にて、遊技球を該遊技領域５へ発射する発射口６を形成している。遊技盤２の前面には、中央が略円形状に大きく開口した前面枠７が設けられる。この前面枠７の開口にはガラス製の透明板８が取り付けられ、前記遊技領域５は該透明板８を介して視認できるようになっている。また、前面枠７の上部両側部には、遊技中に適宜発光する枠ランプ９，９が取り付けられる。
【００１７】
遊技領域５の中央には、液晶パネルからなる大型の電子ディスプレー１０が設けられる。この電子ディスプレー１０は図柄表示装置として図柄の変動表示をする。電子ディスプレー１０の一側には、モータによって回転作動する電動装飾部材１１（可動役物）が設けられる。また、該電子ディスプレー１０の他側には、遊技球を挿通し得る貫通孔が略鉛直に形成された通過チャッカー１２が配設される。さらに、電子ディスプレー１０の下方には、始動領域としての始動入賞口１３および始動領域としての開閉始動入賞口１４が上下に並んで配設される。開閉始動入賞口１４の上部には、該開閉始動入賞口１４を開放したり閉塞したりして、遊技球を受け入れるか否かを変更する電動開閉翼片１４ａが設けられている。この開閉始動入賞口１４の下方には、電動開閉扉１５ａを有する大入賞口１５が設けられ、この大入賞口１５は、大当たりの発生により該電動開閉扉１５ａが開放作動し、多くの遊技球を入賞させることが可能になる。また、複数の普通入賞口１６が遊技領域５の適宜箇所に設けられている。
【００１８】
遊技領域５の下部中央には、上述した各種入賞口１３，１４，１５，１６のいずれにも入賞しなかった遊技球を遊技領域５の外部へ排出するアウト球排出口１７が設けられる。加えて、遊技領域５の適宜位置には、遊技球の流下方向を案内したり規制したりする多数の遊技釘１８が配設され、また、遊技球の衝突により該遊技球の流下方向を変更させると共に回転する風車１９が設けられている。さらに、遊技盤２の前面の適宜位置には、各種装飾部材２０が配設され、これらの一部には、遊技中に適宜発光する盤ランプ２１が内設されている。
【００１９】
前記遊技盤２の下部の一側であって前記遊技領域５の外側にあたる位置には、「○×」表示部からなる普通図柄表示器２２、および、７セグ表示部からなる特別図柄表示器２３が設けられる。普通図柄表示器２２は、遊技球が前記通過チャッカー１２を通過した際に行なわれる抽選の結果に応じた変動表示を行なう。また、特別図柄表示器２３は、遊技球が前記始動入賞口１３または前記開閉始動入賞口１４へ入賞した際に行なわれる抽選の結果に応じた図柄の変動表示を行なう。普通図柄表示器２２の下方には普通図柄保留ランプ２４が設けられ、ここには、遊技球が通過チャッカー１２を通過したときに普通図柄の変動表示中であると保留される次回の変動表示の回数（最大四回まで）が表示される。同様にして、特別図柄表示器２３の下方には特別図柄保留ランプ２５が設けられ、ここには、遊技球が始動入賞口１３または開閉始動入賞口１４へ入賞したときに特別図柄の変動表示中であると保留される次回の変動表示の回数（最大四回まで）が表示される。
【００２０】
前記前面枠７の下部前面には、遊技球を一時的に貯留する球皿２６が設けられ、また、遊技領域５の下方にあたるパチンコ遊技機Ｐの内部には、該遊技領域５へ遊技球を一個ずつ発射する打球発射装置（図示せず）が設けられる。そして、球皿２６内の遊技球は、この打球発射装置へ向かって一列に整列して導かれるようになっている。さらに、前面枠７の下部の一側寄りには、打球発射ハンドル２７が設けられ、この打球発射ハンドル２７の回転操作により打球発射装置が作動する。遊技球発射の強弱は、打球発射ハンドル２７の回転角度の大小で調節される。一方、前面枠７の下方には球箱２８が設けられ、球皿２６内の遊技球は球抜き操作により球箱２８へ排出される。また、パチンコ遊技機Ｐの下部両側には、遊技状態に応じて適宜効果音を出力するためのスピーカ２９，２９が内設されている。
【００２１】
図２は、本発明に係るパチンコ遊技機の制御回路の構成を示すブロック図である。遊技制御回路３０は遊技の基本動作を制御するメイン回路であり、演算処理を行なうＣＰＵ、予め記憶されたプログラムやデータを読み出し可能なＲＯＭ、演算処理に応じてプログラムやデータを適宜読み書き可能なＲＡＭ、を備えている。そして、この遊技制御回路３０にサブ回路である払出制御回路３１と演出制御回路３２が電気的に通信可能に接続されると共に、該演出制御回路３２にサブ回路である画像制御回路３３とランプ制御回路３４が電気的に通信可能に接続されて制御回路全体が概ね構成されている。また、各種サブ回路３１，３２，３３，３４にも、メイン回路と同様に、其々ＣＰＵ、ＲＯＭ、ＲＡＭが設けられ、さらに演出制御回路３２には、実時間の計測機能を有するＲＴＣが設けられている。
【００２２】
遊技制御回路３０には、前記始動入賞口１３へ入賞した遊技球を検出するスイッチ３５、前記開閉始動入賞口１４に入賞した遊技球を検出するスイッチ３６、前記通過チャッカー１２を通過した遊技球を検出するスイッチ３７、前記大入賞口１５へ入賞した遊技球を検出するスイッチ３８、および、前記普通入賞口１６へ入賞した遊技球を検出するスイッチ３９が其々接続される。そして、遊技制御回路３０は、遊技球の通過または入賞により各種スイッチから送信される信号を受け取る。また、遊技制御回路３０には、前記開閉始動入賞口１４の電動開閉翼片１４ａを作動させるソレノイド４０、前記大入賞口１５の電動開閉扉１５ａを作動させるソレノイド４１が接続されている。遊技制御回路３０は、これら各ソレノイド４０，４１へ作動信号を送信し、該電動開閉翼片１４ａと該電動開閉扉１５ａの開閉状態を制御する。前記普通図柄表示器２２および前記特別図柄表示器２３は遊技制御回路３０に接続されており、これら各図柄表示器における図柄の変動表示は該遊技制御回路３０により制御される。また、普通図柄表示器２２における変動表示の保留回数を示す前記普通図柄保留ランプ２４、および、特別図柄表示器２３における変動表示の保留回数を示す前記特別図柄保留ランプ２５も遊技制御回路３０に接続されている。
【００２３】
前記払出制御回路３１は、遊技制御回路３０に対して双方向通信可能に接続されると共に、払出駆動モータ４２を含む遊技球払い出し用の機器が接続されている。そして、この払出制御回路３１は、遊技制御回路３０からの払出信号に従い払出駆動モータ４２を作動させ、所定個数の賞球を前記球皿２６へ払い出す等の払い出し制御を行なう。
【００２４】
前記演出制御回路３２は、遊技制御回路３０からの制御信号を受信するように該遊技制御回路３０に片方向通信接続される。また、演出制御回路３２には、前記アウト球排出口１７から排出される遊技球を検出するスイッチ４３が接続され、該スイッチ４３から送信される信号を受け取るようになっている。さらに、この演出制御回路３２のＲＯＭには、前記スイッチ４３からの信号に基づいて該アウト球排出口１７を通過した遊技球数を計数するアウト球数カウント手段４４、前記電子ディスプレー１０における図柄の無変動状態が継続している時間を計測する無変動時間計測手段４５、複数の異なる演出モードのデータを保持する演出モード記憶手段４６、前記演出モード記憶手段４６から一つの演出モードを決定し前記電子ディスプレー１０の演出モードを該演出モードに変更する演出モード変更手段４７としての各プログラムやデータが記憶されている。
【００２５】
前記演出制御回路３２には、前記画像制御回路３３が双方向通信可能に接続される。この画像制御回路３３には、前記電子ディスプレー１０および前記スピーカ２９が接続され、遊技状態に応じてこれらの機器を制御しつつ作動させる。さらに、前記演出制御回路３２には、前記ランプ制御回路３４が該演出制御回路３２からの信号を受け取るように片方向通信接続される。このランプ制御回路３４には、前記枠ランプ９や前記盤ランプ２１が接続され、これらのランプは遊技状態に応じて適宜点灯制御される。また、可動役物である前記電動装飾部材１１を駆動するモータ４８が接続される。
【００２６】
このようなパチンコ遊技機は、遊技者が打球発射ハンドル２７を手で回動させると打球発射装置が作動し、球皿２６より導かれた遊技球が打球発射ハンドル２７の回動角度に応じた強度で一球ずつ打ち出される。これにより、遊技球は外レール３および内レール４に案内されて発射口６から遊技領域５の上部へ発射される。遊技領域５へ発射された遊技球は、遊技釘１８や風車１９に衝突しながら遊技領域５内を下方へ流下していく。遊技球が、始動入賞口１３、開閉始動入賞口１４、大入賞口１５、普通入賞口１６へ入賞した場合は、その種類に応じて所定個数の賞球が球皿２６へ払い出される。
【００２７】
遊技球が通過チャッカー１２を通過すると、これを契機として乱数値を取得する抽選が行われる。この抽選の結果は、普通図柄表示器２２における変動表示後の停止図柄により遊技者に報知され、当たりの場合は停止図柄として「○」が表示されると共に、開閉始動入賞口１４の電動開閉翼片１４ａが短時間の開閉作動を一回行なう。また、遊技球が始動入賞口１３または開閉始動入賞口１４へ入賞すると、これを契機として乱数値を取得する抽選が行われる。この抽選の結果は、特別図柄表示器２３および電子ディスプレー１０における図柄の変動表示後の停止図柄により遊技者に報知される。そして、抽選結果が「大当たり」の場合は、大入賞口１５の電動開閉扉１５ａが開放され、多数の賞球を獲得するチャンスが遊技者に与えられるように構成されている。
【００２８】
図３は、第一実施形態に係るパチンコ遊技機の遊技制御回路３０で実行するタイマ割込処理のフローチャート図を示している。遊技制御回路３０のＣＰＵは、まず、乱数更新処理（Ｓ１１）を実行し、次に、始動口スイッチ処理（Ｓ１２）を実行する。さらに、特別図柄処理（Ｓ１３）を実行し、最後に、前記特別図柄処理にてセットされた各種コマンドを前記演出制御回路３２等へ送信する出力処理（Ｓ１４）を実行する。
【００２９】
図４は、前記始動口スイッチ処理を詳細に示すフローチャート図である。遊技制御回路３０のＣＰＵは、遊技球が前記始動入賞口１３または前記開閉始動入賞口１４へ入賞したか否かを、該始動入賞口１３のスイッチ３５または該開閉始動入賞口１４のスイッチ３６から信号を受け取ったか否かにより判定する（Ｓ２１）。信号を受け取ったと判定された場合は（Ｓ２１のＹ）、特別図柄の変動表示を保留する回数が、上限数である４回に達しているか否かを判定する（Ｓ２２）。保留の回数が上限に達していない場合は（Ｓ２２のＹ）、保留の回数に１を加算すると共に（Ｓ２３）、該入賞に対する乱数の取得とＲＡＭへの格納を行なう（Ｓ２４）。そして、始動口スイッチ処理を終了する。一方、始動入賞口１３のスイッチ３５および開閉始動入賞口１４のスイッチ３６のいずれからも信号を受け取っていない場合と（Ｓ２１のＮ）、保留の回数が上限の４回に達していると判定された場合は（Ｓ２２のＮ）、直ちに始動口スイッチ処理を終了する。
【００３０】
図５は、前記特別図柄処理を詳細に示すフローチャート図である。この特別図柄処理では、前記始動口スイッチ処理にて取得し、ＲＡＭへ格納した乱数値に基づき、大当たりか否かの判定、特別図柄の変動パターンおよび停止図柄の決定、遊技状態の決定等の処理を行なう。なお、前記特別図柄表示器２３における特別図柄の変動表示と前記電子ディスプレー１０における図柄の変動表示とは、連動して表示されるものである。
【００３１】
遊技が大当たり中でなく（Ｓ３１のＮ）、特別図柄の変動表示中でない場合は（Ｓ３２のＮ）、特別図柄の変動表示の保留回数Ｕが一回以上であるか否かの判定をする（Ｓ３３）。判定結果が１以上である場合は（Ｓ３３のＹ）、該保留の回数を１減算すると共に（Ｓ３４）、後述する大当たり判定処理（Ｓ３５）、および、後述する変動パターン選択処理を実行する（Ｓ３６）。そして、これらの処理にて決定された、変動パターン（変動時間）、図柄（確変大当たり／通常大当たり／ハズレ）、遊技状態（確変遊技／時短遊技／通常遊技）、客待ち等の各種コマンドを前記遊技制御回路３０へ送信する準備として変動開始コマンドのセットを行なう（Ｓ３７）。その後、特別図柄表示器２３における特別図柄の変動表示を開始すると共に（Ｓ３８）、図柄変動時間の計測を開始する（Ｓ３９）。
【００３２】
Ｓ３２にて、特別図柄の変動表示中であると判定された場合は（Ｓ３２のＹ）、図柄変動時間が終了したか否かの判定を行なう（Ｓ４０）。図柄変動時間が終了したと判定された場合は（Ｓ４０のＹ）、変動停止コマンドをセットすると共に（Ｓ４１）、特別図柄の変動表示を停止する（Ｓ４２）。そして、変動時間を０にリセットし（Ｓ４３）、さらに、後述する停止中処理を実行して（Ｓ４４）、特別図柄処理を終了する。一方、Ｓ４０において、図柄変動時間が終了していないと判定された場合は（Ｓ４０のＮ）、直ちに特別図柄処理を終了する。また、Ｓ３１において大当たり中であると判定された場合（Ｓ３１のＹ）、および、Ｓ３３において特別図柄の変動表示の保留回数Ｕが一回以上でないと判定された場合（Ｓ３３）、すなわち、保留回数が０の場合も直ちに特別図柄処理を終了する。
【００３３】
図６は、前記大当たり判定処理を詳細に示すフローチャート図である。大当たり判定処理では、まず大当たり乱数の判定を行なう（Ｓ５１）。この判定結果が大当たりである場合は（Ｓ５２のＹ）、大当たり図柄乱数の判定をする（Ｓ５３）。そして、この判定結果が確変図柄である場合に（Ｓ５４のＹ）、確変図柄のセットを行ない（Ｓ５５）、一方、該判定結果が確変図柄でない場合に（Ｓ５４のＮ）、通常図柄のセットをして（Ｓ５６）、大当たり判定処理を終了する。また、Ｓ５２において、大当たりでないと判定された場合は（Ｓ５２のＮ）、ハズレ図柄のセットをして（Ｓ５７）、大当たり判定処理を終了する。
【００３４】
図７は、前記変動パターン選択処理を詳細に示すフローチャート図である。変動パターン選択処理では、まず大当たりか否かの判定をする（Ｓ６１）。大当たりである場合は（Ｓ６１のＹ）、大当たり用テーブルのセットをする（Ｓ６２）。一方、大当たりでない場合は（Ｓ６１のＮ）、リーチ乱数の判定を行ない（Ｓ６３）、判定の結果がリーチである場合は（Ｓ６４のＹ）、リーチ用テーブルをセットし（Ｓ６５）、該判定の結果がリーチでない場合は（Ｓ６４のＮ）、ハズレ用テーブルをセットする（Ｓ６６）。これら、大当たり用テーブル、リーチ用テーブル、ハズレ用テーブルの内のいずれかがセットされた後に、変動パターン乱数の取得とＲＡＭへの格納を行ない（Ｓ６７）、該変動パターン乱数の判定をして（Ｓ６８）、変動パターンのセットをする（Ｓ６９）。そして、変動パターン選択処理を終了する。
【００３５】
図８は、前記停止中処理を詳細に示すフローチャート図である。停止中処理では、まず大当たりか否かの判定をする（Ｓ７１）。大当たりでない場合は（Ｓ７１のＮ）、時短遊技状態中のハズレ残数Ｊが０であるか否かを判定し（Ｓ７２）、ハズレ残数Ｊが０でなければ（Ｓ７２のＮ）、該ハズレ残数Ｊを１減算する（Ｓ７３）。そして、再度ハズレ残数Ｊが０であるか否かを判定し（Ｓ７４）、判定の結果、ハズレ残数Ｊが０である場合は（Ｓ７４のＹ）、通常遊技状態のセットをする（Ｓ７５）。さらに、特別図柄の変動表示の保留回数Ｕが１以上であるか否かを判定し（Ｓ７６）、保留回数Ｕが１以上でなければ（Ｓ７６のＮ）、客待ちコマンドのセットをする（Ｓ７７）。そして、停止中処理を終了する。なお、Ｓ７２においてハズレ残数Ｊが０である場合（Ｓ７２のＹ）、または、Ｓ７４においてハズレ残数Ｊが０でない場合（Ｓ７４のＮ）、または、Ｓ７６において保留回数Ｕが１以上である場合は（Ｓ７６のＹ）、直ちに停止中処理を終了する。
【００３６】
Ｓ７１において、判定が大当たりの場合は（Ｓ７１のＹ）、さらに、この大当たりが確変図柄であるか否かの判定をする（Ｓ７８）。判定の結果が確変図柄の場合は（Ｓ７８のＹ）、大当たり終了後に開始される確変遊技状態のセットをすると共に（Ｓ７９）、前記演出制御回路３２へ送信する大当たり開始コマンドのセットをする（Ｓ８０）。そして、前記大入賞口１５の電動開閉扉１５ａを開放作動させる大当たりを開始し（Ｓ８１）、停止中処理を終了する。一方、Ｓ７８にて、大当たりが確変図柄でない場合は（Ｓ７８のＮ）、この大当たりが通常図柄であるか否かの判定をする（Ｓ８２）。判定の結果が通常大当たりの場合は（Ｓ８２のＹ）、大当たり終了後に開始される時短遊技状態のセットをすると共に（Ｓ８３）、時短遊技状態中のハズレ残数Ｊを１００にセットする（Ｓ８４）。そして、大当たり開始コマンドをセットし（Ｓ８０）、大当たりを開始してから（Ｓ８１）、停止中処理を終了する。また、Ｓ８２にて、大当たりが通常図柄でない場合は（Ｓ８２のＮ）、大当たり開始コマンドのセットと（Ｓ８０）、大当たりの開始のみを行ない（Ｓ８１）、停止中処理を終了する。
【００３７】
図９は、前記演出制御回路３２で実行する無変動時間計測処理を詳細に示すフローチャート図である。無変動時間計測処理では、前記無変動時間計測手段４５が、まず、図柄の無変動状態の継続時間を計測中であるか否かを判定する（Ｓ９１）。図柄の無変動時間を計測中でなければ（Ｓ９１のＮ）、前記遊技制御回路３０から客待ちコマンドを受信したか否かを判定する（Ｓ９２）。そして、客待ちコマンドを受信している場合（Ｓ９２のＹ）は、無変動時間計測手段４５が図柄の無変動時間の計測を開始する（Ｓ９３）。一方、Ｓ９１において、図柄の無変動時間を計測中であると判定された場合は（Ｓ９１のＹ）、Ｓ９２およびＳ９３の処理はスキップされる。Ｓ９４では、前記無変動時間計測手段４５が計測している図柄の無変動時間が所定時間（例えば、３０秒）経過しているか否かを判定する。図柄の無変動時間が所定時間を経過している場合は（Ｓ９４のＹ）、モード変更フラグのセットを行ない（Ｓ９５）、無変動時間計測処理を終了する。なお、Ｓ９２において客待ちコマンドを受信していないと判定された場合（Ｓ９２のＮ）、または、Ｓ９４において図柄の無変動時間が所定時間経過していないと判定された場合は（Ｓ９４のＮ）、直ちに無変動時間計測処理を終了する。
【００３８】
図１０は、前記演出制御回路３２で実行する演出処理を詳細に示すフローチャート図である。演出モード変更処理では、まず、前記電子ディスプレー１０において演出表示中であるか否かを判定し（Ｓ１０１）、演出表示中でなければ（Ｓ１０１のＮ）、さらに、前記遊技制御回路３０から変動開始コマンドを受信したか否かを判定する（Ｓ１０２）。この結果、変動開始コマンドを受信している場合は（Ｓ１０２のＹ）、後述する演出パターン選択処理を実行する（Ｓ１０３）。その後、計測した図柄の無変動時間を０にリセットすると共に（Ｓ１０４）、演出開始コマンドのセットをしてから（Ｓ１０５）、演出処理を終了する。一方、Ｓ１０１において、演出表示中と判定された場合は（Ｓ１０１のＹ）、前記遊技制御回路３０から変動終了コマンドを受信したか否かを判定する（Ｓ１０６）。変動終了コマンドを受信している場合は（Ｓ１０６のＹ）、演出終了コマンドをセットし（Ｓ１０７）、演出処理を終了する。変動終了コマンドを受信していない場合は（Ｓ１０６のＮ）、そのまま演出処理を終了する。
【００３９】
図１１は、前記演出制御回路３２で実行する演出パターン選択処理を詳細に示すフローチャート図である。演出パターン選択処理では、まず、モード変更フラグがセットされているか否かを判定する（Ｓ１１１）。モード変更フラグがセットされていれば（Ｓ１１１のＹ）、演出モード変更手段４７が、変更したモードテーブルをセットすると共に（Ｓ１１２）、該モードの演出パターンをセットする（Ｓ１１４）。すなわち、演出モード変更手段４７が、図１２に示した前記演出モード記憶手段４６が保持する演出モードテーブルを参照し、現在の演出モードと異なる演出モード（通常は次の演出モード）を選択し、該演出モードに演出パターンを変更する。例えば、現在の演出モードが演出モードテーブルのＡ（海上モード）である場合は、前記電子ディスプレー１０の背景に表示される背景画像は「海上風景」Ａ１であり、また、キャラクターとして「ヨット」Ａ２が該背景画像に重ねて表示される。そして、演出モード変更手段４７により、演出モードがＢ（海中モード）に変更されると、電子ディスプレー１０の背景は「海中風景」Ｂ１に変更され、また、キャラクターとして「さかな」Ｂ２が該背景画像に重ねて表示される。一方、Ｓ１１１において、モード変更フラグがセットされていないと判定された場合は（Ｓ１１１のＮ）、同一のモードテーブルをセットすると共に（Ｓ１１３）、該モードの演出パターンをセットする（Ｓ１１４）。最後に、モード変更フラグを解除し（Ｓ１１５）、演出パターン選択処理を終了する。
【００４０】
図１３は、第一実施形態に係るパチンコ遊技機の演出モード変更を示すタイミングチャート図である。最上段（図柄変動）は、前記電子ディスプレー１０において図柄の変動表示中であるか（変動）、否か（停止）を示し、二段目（始動入賞口スイッチ）は、前記始動入賞口１３または前記開閉始動入賞口１４に設けられたスイッチ３５，３６からの信号を受け取ったか（ＯＮ）、否か（ＯＦＦ）を示している。つまり、始動入賞口１３または開閉始動入賞口１４へ遊技球が入賞したか否かを表している。三段目（演出モード）は、前記演出モード変更手段４７によって変更される演出モードの状態（「海上モード」、または、「海中モード」）を示している。最下段（装飾画像）は、前記電子ディスプレー１０に表示される装飾画像の種類（「海上風景＋ヨット」、または、「海中風景＋さかな」）である。
【００４１】
このタイミングチャート図では、時間Ｔ１にて図柄の変動表示が終了（停止）している。そして、前記無変動時間計測手段４５は、時間Ｔ１を始期として図柄の無変動時間の計測を開始している。その後、始動入賞口スイッチはＯＦＦの状態が継続しているため、始動入賞口１３および開閉始動入賞口１４へは遊技球が入賞しておらず、従って、図柄の無変動状態が続いていることがわかる。そして、時間Ｔ２において、無変動時間計測手段４５が計測している無変動時間が所定時間（例えば、３０秒）に達している。その後、時間Ｔ３において、前記始動入賞口１３または前記開閉始動入賞口１４へ遊技球が入賞し、スイッチ３５またはスイッチ３６からの信号を受け取ったため、前記演出モード変更手段４７が演出モードを「海上モード」から「海中モード」へ変更している。そして、該演出モード変更手段４７が前記電子ディスプレー１０に表示する装飾画像を「海上風景＋ヨット」から「海中風景＋さかな」へ変更すると同時に、図柄の変動表示を開始（変動）している。この際には、該始動球入賞により開始される図柄の変動表示のリーチ図柄も演出モードに合わせて変更することが好ましい。
【００４２】
上述した第一実施形態に係るパチンコ遊技機では、電子ディスプレー１０における図柄の変動表示が停止してから、該図柄の無変動状態が継続している時間を無変動時間計測手段４５が計測している。そして、前記無変動時間計測手段４５が計測を開始してから所定時間が計測されると共に、前記始動入賞口１３または前記開閉始動入賞口１４へ遊技球が入賞すると、演出モード変更手段４７が、複数の演出モードを記憶する演出モード記憶手段４６から現在とは異なる演出モードを決定し該演出モードに変更するようにしている。これにより、電子ディスプレー１０における図柄の変動表示が開始されない状態が所定時間継続していることを察知でき、このような状態（スタートスランプ）が察知された場合に、現在の演出モードを終了して別の演出モードへ変更することができる。従って、スタートスランプが発生して遊技者の遊技意欲が減退しそうになっても、演出モードを変更することで演出に視覚的な変化を起こして遊技者の興味を刺激し、遊技を継続する意欲を持続させることができるようになる。
【００４３】
なお、無変動時間計測手段４５が図柄の無変動時間の計測を開始するにあたり、上述した第一実施形態のように、その計測開始の始期を必ずしも図柄の変動表示の停止時に合わせなくてもよい。例えば、図柄の変動表示が停止して所定時間が経過した後に無変動時間計測手段４５による無変動時間の計測を開始するようにしてもよい。
【００４４】
次に、本発明のパチンコ遊技機の第二実施形態について説明する。第二実施形態に係るパチンコ遊技機の概略構成および制御回路の構成は、上述した第一実施形態と同様である。従って、以下の説明においては、第一実施形態と相違する構成についてのみ説明し、同一の構成については同一の符号を付すことにより詳しい説明を省略する。第二実施形態に係るパチンコ遊技機では、前記演出制御回路３２における無変動時間計測処理が前記第一実施形態と相違している。
【００４５】
図１４は、第二実施形態に係るパチンコ遊技機の無変動時間計測処理を詳細に示すフローチャート図である。無変動時間計測処理では、前記無変動時間計測手段４５が、まず、図柄の無変動状態の継続時間を計測中であるか否かを判定する（Ｓ１２１）。図柄の無変動時間を計測中でなければ（Ｓ１２１のＮ）、前記遊技制御回路３０から客待ちコマンドを受信したか否かを判定する（Ｓ１２２）。そして、客待ちコマンドを受信している場合（Ｓ１２２のＹ）は、無変動時間計測手段４５が図柄の無変動時間の計測を開始する（Ｓ１２３）。一方、Ｓ１２１において、図柄の無変動時間を計測中であると判定された場合は（Ｓ１２１のＹ）、Ｓ１２２およびＳ１２３の処理はスキップされる。
【００４６】
Ｓ１２４では、前記無変動時間計測手段４５が計測している図柄の無変動時間が第一の所定時間（例えば、３０秒）経過しているか否かを判定し、図柄の無変動時間が第一の所定時間を経過している場合は（Ｓ１２４のＹ）、続いて、該無変動時間が第二の所定時間（例えば、５分）経過しているか否かを判定する（Ｓ１２５）。図柄の無変動時間が第二の所定時間を経過していない場合（Ｓ１２５のＹ）、すなわち、図柄の無変動時間が３０秒を超え且つ５分に満たない場合は、モード変更フラグのセットをする（Ｓ１２６）。そして、無変動時間計測処理を終了する。一方、Ｓ１２５において、図柄の無変動時間が第二の所定時間経過したと判定された場合は（Ｓ１２５のＮ）、モード変更フラグを解除し（Ｓ１２７）、無変動時間計測処理を終了する。なお、Ｓ１２２において客待ちコマンドを受信していないと判定された場合（Ｓ１２２のＹ）、または、Ｓ１２４において図柄の無変動時間が第一の所定時間経過していないと判定された場合は（Ｓ１２４のＮ）、直ちに無変動時間計測処理を終了する。
【００４７】
このように、第二実施形態に係るパチンコ遊技機では、前記無変動時間計測手段４５が図柄の無変動時間を計測し、この無変動時間が第一の所定時間を超え且つ第二の所定時間に満たないときに演出モードのモード変更フラグをセットするようにしている。そして、前記始動入賞口１３または前記開閉始動入賞口１４へ遊技球が入賞すると、演出モード変更手段４７が、複数の演出モードを記憶する演出モード記憶手段４６から現在とは異なる演出モードを決定し該演出モードに変更するようになっている。これにより、図柄の無変動時間が第二の所定時間よりも長く継続している場合は、遊技者が不在のため遊技機が客待ち状態であると察知でき、このような客待ち状態のときには、遊技球の入賞があっても演出モードを変更しないようにできる。一方、無変動時間計測手段４５が計測した時間が第一の所定時間を超え且つ第二の所定時間に満たないときに遊技球の入賞があると、遊技者が遊技をしている最中であると判断され、このような場合にのみ演出モードを変更するようにできる。すなわち、遊技機が客待ち中であるか遊技中であるかを判断し、客待ち中のときには演出モードの変更を抑制すると共に遊技中である場合にのみ演出モードを変更することができる。
【００４８】
次に、本発明のパチンコ遊技機の第三実施形態について説明する。第三実施形態に係るパチンコ遊技機の概略構成および制御回路の構成は、上述した第一実施形態と同様である。従って、以下の説明においては、第一実施形態と相違する構成についてのみ説明し、同一の構成については同一の符号を付すことにより詳しい説明を省略する。
【００４９】
図１５は、第三実施形態に係るパチンコ遊技機において、前記演出制御回路３２で実行する無変動時間計測処理を詳細に示すフローチャート図である。無変動時間計測処理では、前記無変動時間計測手段４５が、まず、図柄の無変動状態の継続時間を計測中であるか否かを判定する（Ｓ１３１）。図柄の無変動時間を計測中でなければ（Ｓ１３１のＮ）、前記遊技制御回路３０から客待ちコマンドを受信したか否かを判定する（Ｓ１３２）。そして、客待ちコマンドを受信している場合（Ｓ１３２のＹ）は、無変動時間計測手段４５が図柄の無変動時間の計測を開始する（Ｓ１３３）。一方、Ｓ１３１において、図柄の無変動時間を計測中であると判定された場合は（Ｓ１３１のＹ）、Ｓ１３２およびＳ１３３の処理をスキップする。Ｓ１３４では、前記無変動時間計測手段４５が計測している図柄の無変動時間が所定時間（例えば、３０秒）経過しているか否かを判定する。図柄の無変動時間が所定時間経過している場合は（Ｓ１３４のＹ）、無変動時間超過フラグをセットし（Ｓ１３５）、該無変動時間が所定時間経過していない場合は（Ｓ１３４のＮ）、無変動時間超過フラグを解除する（Ｓ１３６）。そして、無変動時間計測処理を終了する。また、Ｓ１３２において客待ちコマンドを受信していないと判定された場合は（Ｓ１３２のＮ）、直ちに無変動時間計測処理を終了する。
【００５０】
図１６は、第三実施形態に係るパチンコ遊技機において、前記演出制御回路３２で実行するアウト球数カウント処理を詳細に示すフローチャート図である。アウト球数カウント処理では、まず、遊技球が前記アウト球排出口１７から遊技領域５の外部へ排出されたか否かを該アウト球排出口１７から排出される遊技球を検出するスイッチ４３からの信号に基づいて判定する（Ｓ１４１）。スイッチ４３からの信号を受信している場合は（Ｓ１４１のＹ）、前記アウト球数カウント手段４４が、演出制御回路３２のＲＡＭに記憶しているアウト球の個数を読み出すと共に、該アウト球の個数を一個加算した上で、該ＲＡＭに再び書き込んで記憶させる（Ｓ１４２）。さらに、アウト球数カウント手段４４は、該ＲＡＭに記憶させたアウト球の個数が所定個数（例えば、１００個）に達しているか否かを判定する（Ｓ１４３）。アウト球の個数が１００個に達している場合は（Ｓ１４３のＹ）、続いて、図柄の無変動時間超過フラグがセットされているか否かを判定し（Ｓ１４４）、セットされていなければ（Ｓ１４４のＮ）、所定時間が経過するまでの間に所定個数のアウト球が排出されたことになるので、モード変更フラグをセットする（Ｓ１４５）。そして、アウト球数カウント処理を終了する。一方、Ｓ１４１においてスイッチ４３からの信号がない場合（Ｓ１４１のＮ）、または、Ｓ１４３においてアウト球の個数が１００個に達していない場合（Ｓ１４３のＮ）、または、Ｓ１４４において図柄の無変動時間超過フラグがセットされている場合は（Ｓ１４４のＹ）、アウト球数カウント処理を直ちに終了する。
【００５１】
図１７は、第三実施形態に係るパチンコ遊技機の演出モード変更を示すタイミングチャート図である。最上段（図柄変動）は、前記電子ディスプレー１０において図柄の変動表示中であるか（変動）、否か（停止）を示し、二段目（始動入賞口スイッチ）は、前記始動入賞口１３または前記開閉始動入賞口１４に設けられたスイッチ３５，３６からの信号を受け取ったか（ＯＮ）、否か（ＯＦＦ）を示している。つまり、始動入賞口１３または開閉始動入賞口１４へ遊技球が入賞したか否かを表している。三段目（アウト球排出口スイッチ）は、前記アウト球排出口１７から排出される遊技球を検出するスイッチ４３からの信号を受け取ったか（ＯＮ）、否か（ＯＦＦ）を示している。すなわち、アウト球排出口１７から遊技領域５の外部へ遊技球が排出されたか否かを表している。そして、四段目（演出モード）は、前記演出モード変更手段４７によって変更される演出モードの状態（「海上モード」、または、「海中モード」）を示している。最下段（装飾画像）は、前記電子ディスプレー１０に背景として表示される装飾画像の種類（「海上風景＋ヨット」、または、「海中風景＋さかな」）である。
【００５２】
このタイミングチャート図では、時間Ｔ４にて図柄の変動表示が終了（停止）している。そして、前記無変動時間計測手段４５は、時間Ｔ４を始期として図柄の無変動時間の計測を開始している。その後、始動入賞口スイッチはＯＦＦの状態が継続しているため、始動入賞口１３および開閉始動入賞口１４へは遊技球が入賞しておらず、一方、アウト球排出口スイッチは断続的に何回かＯＮの状態になっており、アウト球排出口１７から遊技領域５の外部へ遊技球が次々と排出されていることを示している。前記アウト球数カウント手段４４は、この信号に基づいてアウト球の個数を計数している。そして、時間Ｔ５において、該アウト球数カウント手段４４が計数するアウト球の個数が所定個数（例えば、１００個）に達したとき、前記無変動時間計測手段４５が計測している無変動時間が所定時間Ｔ７（例えば、３０秒）に達していない状態になっている。その後、所定時間Ｔ７以前の時間Ｔ６において、前記始動入賞口１３または前記開閉始動入賞口１４へ遊技球が入賞し、スイッチ３５またはスイッチ３６からの信号を受け取ったため、前記演出モード変更手段４７が演出モードを「海上モード」から「海中モード」へ変更している。そして、該演出モード変更手段４７が前記電子ディスプレー１０に表示する装飾画像を「海上風景＋ヨット」から「海中風景＋さかな」へ変更すると同時に、図柄の変動表示を開始（変動）している。
【００５３】
上述した第三実施形態に係るパチンコ遊技機では、電子ディスプレー１０における図柄の変動表示が停止してから、該図柄の無変動状態が継続している時間を無変動時間計測手段４５が計測し、その間にアウト球排出口１７から排出されるアウト球の個数をアウト球数カウント手段４４が計数している。そして、前記無変動時間計測手段４５が計測を開始してから所定時間が計測されるまでの間に前記アウト球数カウント手段４４が所定個数のアウト球を計数し、前記始動入賞口１３または前記開閉始動入賞口１４へ遊技球が入賞すると、演出モード変更手段４７が、複数の演出モードを記憶する演出モード記憶手段４６から現在とは異なる演出モードを決定し該演出モードに変更するようにしている。これにより、所定時間内に所定個数の遊技球を遊技領域５に発射したにも関わらず該遊技球が始動入賞口１３または開閉始動入賞口１４へ一つも入賞せず、電子ディスプレー１０における図柄の変動表示が開始されない状態（スタートスランプ）が察知された場合に、現在の演出モードを終了して別の演出モードへ変更することができる。従って、スタートスランプが発生して遊技者の遊技意欲が減退しそうになっても、演出モードを変更することで演出に視覚的な変化を起こして遊技者の興味を刺激し、遊技を継続する意欲を持続させることができるようになる。
【００５４】
なお、無変動時間計測手段４５による図柄の無変動時間の計測と、アウト球数カウント手段４４によるアウト球数の計数とを開始するにあたり、その計測および計数の開始の始期を必ずしも図柄の変動表示の停止時に合わせなくてもよい。例えば、図柄の変動表示が停止して所定時間が経過した後に無変動時間計測手段４５による無変動時間の計測を開始すると共にアウト球数カウント手段４４によるアウト球数の計数を開始するようにしてもよい。
【００５５】
次に、本発明のパチンコ遊技機の第四実施形態について説明する。第四実施形態に係るパチンコ遊技機の概略構成は、上述した第一実施形態と同様である。従って、以下の説明においては、第一実施形態と相違する構成についてのみ説明し、同一の構成については同一の符号を付すことにより詳しい説明を省略する。図１８は、第四実施形態に係るパチンコ遊技機の制御回路の構成を示すブロック図である。このブロック図に示したように、第四実施形態に係るパチンコ遊技機の演出制御回路３２には、演出モード選択手段４９が接続されている。この演出モード選択手段４９は、例えば、遊技機の前面側に装着された演出ボタン等の操作部である。演出モードの変更に際しては、前記無変動時間計測手段４５が計測を開始してから所定時間が計測されると、前記電子ディスプレー１０に演出モード選択画面が表示されると共に、遊技者が該演出モード選択手段４９を操作することにより任意の演出モードを選択するようになっている。
【００５６】
図１９は、第四実施形態に係るパチンコ遊技機の無変動時間計測処理を詳細に示すフローチャート図である。無変動時間計測処理では、前記無変動時間計測手段４５が、まず、図柄の無変動状態の継続時間を計測中であるか否かを判定する（Ｓ１５１）。図柄の無変動時間を計測中でなければ（Ｓ１５１のＮ）、前記遊技制御回路３０から客待ちコマンドを受信したか否かを判定する（Ｓ１５２）。そして、客待ちコマンドを受信している場合（Ｓ１５２のＹ）は、無変動時間計測手段４５が図柄の無変動時間の計測を開始する（Ｓ１５３）。一方、Ｓ１５１において、図柄の無変動時間を計測中であると判定された場合は（Ｓ１５１のＹ）、Ｓ１５２およびＳ１５３の処理はスキップされる。Ｓ１５４では、前記無変動時間計測手段４５が計測している図柄の無変動時間が所定時間（例えば、３０秒）経過しているか否かを判定する。図柄の無変動時間が所定時間を経過している場合は（Ｓ１５４のＹ）、後述するモード選択処理を実行する（Ｓ１５５）。そして、無変動時間計測処理を終了する。なお、Ｓ１５２において客待ちコマンドを受信していないと判定された場合（Ｓ１５２のＮ）、または、Ｓ１５４において図柄の無変動時間が所定時間経過していないと判定された場合は（Ｓ１５４のＮ）、直ちに無変動時間計測処理を終了する。
【００５７】
図２０は、モード選択処理を詳細に示すフローチャート図である。このモード選択処理では、まず、前記電子ディスプレー１０にモード選択画面を表示し（Ｓ１６１）、続いて、前記演出モード選択手段４９としての、例えば、演出ボタン等の操作部からの入力を受け付ける（Ｓ１６２）。すなわち、遊技者が演出ボタンを操作することにより、モード選択画面に表示された複数の演出モードから任意の演出モードを選択する。この操作により、演出モードが選択された場合は（Ｓ１６３のＹ）、該選択された演出モードを設定する（Ｓ１６４）。そして、モード変更フラグをセットし（Ｓ１６５）、モード選択処理を終了する。一方、Ｓ１６３において演出モードの選択がされなかった場合は（Ｓ１６３のＮ）、直ちにモード選択処理を終了する。
【００５８】
図２１は、前記演出制御回路３２で実行する演出パターン選択処理を詳細に示すフローチャート図である。演出パターン選択処理では、まず、モード変更フラグがセットされているか否かを判定する（Ｓ１７１）。モード変更フラグがセットされていれば（Ｓ１７１のＹ）、前記モード選択処理において遊技者により選択されたモードテーブルをセットすると共に（Ｓ１７２）、該モードの演出パターンをセットする（Ｓ１７４）。一方、Ｓ１７１において、モード変更フラグがセットされていないと判定された場合は（Ｓ１７１のＮ）、同一のモードテーブルをセットすると共に（Ｓ１７３）、該モードの演出パターンをセットする（Ｓ１７４）。最後に、モード変更フラグを解除し（Ｓ１７５）、演出パターン選択処理を終了する。そして、前記演出処理にて実行される演出開始コマンドのセットは（図１０、Ｓ１０５）、このモード選択処理でセットされた演出パターンに従って行なわれる。
【００５９】
このように、第四実施形態に係るパチンコ遊技機では、前記無変動時間計測手段４５が図柄の無変動時間を計測し、無変動時間が所定時間継続していることを察知したら、電子ディスプレー１０に演出モード選択画面を表示すると共に、遊技者が演出モード選択手段としての演出ボタン等の操作部を操作することにより、複数の演出モードの内から任意の演出モードを選択できるようになっている。これにより、スタートスランプが発生して遊技者の遊技意欲が減退しそうになっても、遊技者が好みの演出モードを自由に選択できるようになり、演出モードを遊技者の興味にあったものにすることで、遊技を継続する意欲を持続させることができるようになる。
【図面の簡単な説明】
【００６０】
【図１】本発明に係るパチンコ遊技機を示す正面図。
【図２】本発明に係るパチンコ遊技機の制御回路の構成を示すブロック図。
【図３】タイマ割込処理を示すフローチャート図。
【図４】始動口スイッチ処理を示すフローチャート図。
【図５】特別図柄処理を示すフローチャート図。
【図６】大当たり判定処理を示すフローチャート図。
【図７】変動パターン選択処理を示すフローチャート図。
【図８】停止中処理を示すフローチャート図。
【図９】無変動時間計測処理を示すフローチャート図。
【図１０】演出処理を示すフローチャート図。
【図１１】演出パターン選択処理を示すフローチャート図。
【図１２】本発明に係るパチンコ遊技機の演出モードテーブル図。
【図１３】演出モード変更を示すタイミングチャート図。
【図１４】第二実施形態に係るパチンコ遊技機の無変動時間計測処理を示すフローチャート図。
【図１５】第三実施形態に係るパチンコ遊技機の無変動時間計測処理を示すフローチャート図。
【図１６】同パチンコ遊技機のアウト球数カウント処理を示すフローチャート図。
【図１７】同パチンコ遊技機の演出モード変更を示すタイミングチャート図。
【図１８】第四実施形態に係るパチンコ遊技機の制御回路の構成を示すブロック図。
【図１９】同パチンコ遊技機の無変動時間計測処理を示すフローチャート図。
【図２０】同パチンコ遊技機のモード選択処理を示すフローチャート図。
【図２１】同パチンコ遊技機の演出パターン選択処理を示すフローチャート図。
【符号の説明】
【００６１】
２              遊技盤
５              遊技領域
１０            電子ディスプレー（図柄表示装置）
１３            始動入賞口（始動領域）
１４            開閉始動入賞口（始動領域）
１７            アウト球排出口
４４            アウト球数カウント手段
４５            無変動時間計測手段
４６            演出モード記憶手段
４７            演出モード変更手段
４９            演出モード選択手段
【図１】
2010063705.tif 000003
【図２】
2010063705.tif 000004
【図３】
2010063705.tif 000005
【図４】
2010063705.tif 000006
【図５】
2010063705.tif 000007
【図６】
2010063705.tif 000008
【図７】
2010063705.tif 000009
【図８】
2010063705.tif 000010
【図９】
2010063705.tif 000011
【図１０】
2010063705.tif 000012
【図１１】
2010063705.tif 000013
【図１２】
2010063705.tif 000014
【図１３】
2010063705.tif 000015
【図１４】
2010063705.tif 000016
【図１５】
2010063705.tif 000017
【図１６】
2010063705.tif 000018
【図１７】
2010063705.tif 000019
【図１８】
2010063705.tif 000020
【図１９】
2010063705.tif 000021
【図２０】
2010063705.tif 000022
【図２１】
2010063705.tif 000023